(57)【要約】【課題】機器本体に対してキーボードユニットの取付けが確実かつ簡単に行える情報機器を提供することにある。【解決手段】コンピュータ本体２と、コンピュータ本体２に設けられた四辺形状の載置部１１と、四辺形状をなし、少なくとも一辺部に係合部１５を有し、この係合部１５が係合して載置部１１に収納される入力ユニットとしてのキーボードユニット１０と、キーボードユニット１０の係合部１５と相対する他の辺部及び残りの少なくとも一辺部を載置部１１に固定する挟持部材としてのキーボードホルダ２１及び操作盤３０とを具備したことを特徴とする。【選択図】  図１
2005100173.tif 000002
【特許請求の範囲】
【請求項１】
機器本体と、
前記機器本体に設けられた載置部と、
少なくとも一辺部に係合部を有し、該係合部を前記載置部に係合して前記載置部に収納される入力ユニットと、
前記入力ユニットの前記係合部と相対する他の辺部及び残りの少なくとも一辺部を前記載置部との間に挟む挟持部材と、
を具備したことを特徴とする情報機器。
【請求項２】
前記入力ユニットの前記他の辺部は前記載置部にねじ固定されるとともに、前記挟持部材は前記ねじを覆うことを特徴とする請求項１記載の情報機器。
【請求項３】
前記挟持部材は、ホルダであることを特徴とする請求項１記載の情報機器。
【請求項４】
前記挟持部材は、操作盤であることを特徴とする請求項１記載の情報機器。
【請求項５】
機器本体と、
前記機器本体に設けられた四辺形状の載置部と、
四辺形状をなし、少なくとも一辺部に係合部を有し、該係合部を前記機器本体に係合して前記載置部に収納される第１の入力ユニットと、
前記第１の入力ユニットの前記係合部と相対する他の辺部を前記載置部との間に挟む挟持部材と、
前記第１の入力ユニットによって前記載置部との間に挟まれる第２の入力ユニットと、
を具備したことを特徴とする情報機器。
【請求項６】
前記操作盤は、当該機器の操作部及び／あるいは拡張機能の操作部を備えていることを特徴とする請求項４記載の情報機器。
【請求項７】
前記操作盤は、前記挟持部材により前記載置部との間に挟まれることを特徴とする請求項４記載の情報機器。
【請求項８】
機器本体と、
前記機器本体に設けられた四辺形状の載置部と、
第１乃至第４の縁部を有する四辺形状をなし、前記第１の縁部を前記載置部に係合して前記載置部に収納される入力ユニットと、
前記入力ユニットの前記第２の縁部を前記載置部との間に挟む第１の挟持部材と、
前記入力ユニットの前記第３もしくは第４の縁部のいずれかを前記載置部との間に挟む第２の挟持部材と、
を具備したことを特徴とする情報機器。
【請求項９】
前記第１の挟持部材により、前記第２の挟持部材は前記入力ユニットの前記第２の縁部とともに前記載置部との間に挟まれることを特徴とする請求項８記載の情報機器。
【請求項１０】
前記第２の入力ユニットの前記第２の縁部は前記載置部にねじ固定されるとともに、前記第１の挟持部材は前記ねじを覆うことを特徴とする請求項８記載の情報機器。
【請求項１１】
載置部を有する本体と、
一縁部を前記載置部に係合して前記載置部に収納される第１の入力ユニットと、
前記載置部に着脱可能に載置される第２の入力ユニットと、
前記第１の入力ユニットの前記一縁部とは異なる他縁部と前記第２の入力ユニットとを前記載置部との間に挟む挟持部材と、
を具備したことを特徴とする情報機器。
【請求項１２】
前記第１の入力ユニットの前記他縁部は前記載置部にねじ固定されるとともに、前記挟持部材は前記ねじを覆うことを特徴とする請求項１１記載の情報機器。
【発明の詳細な説明】
【技術分野】
【０００１】
この発明は、機器本体にキーボードユニットを備えたパーソナルコンピュータ等の情報機器に関する。
【背景技術】
【０００２】
パーソナルコンピュータ等の情報機器は、その機種によって機能が異なるとともに、機器本体の大きさも多岐に亘っている。一方、キーボードユニットは、操作性を考慮して設計・製作されていることから、大きさはある程度標準化されており、機種が異なっても共通のキーボードユニットを使用する標準化によってコストの低減化を図っている。
【０００３】
一般に、ポータブルコンピュータにおいては、コンピュータ本体と、このコンピュータ本体にヒンジによって開閉自在に枢支されたＬＣＤユニットを有するディスプレイユニットとから構成されている。そして、コンピュータ本体の上面には載置部が設けられ、この載置部にキーボードユニットを落とし込み、キーボードユニットをキーボードホルダによってコンピュータ本体に対して固定している。
【０００４】
例えば、コンピュータ本体の上面のキーボード取付け面に、キーボード取付け用の載置部を設け、この載置部における一方の辺部に係合部を設ける。また、キーボードの一側縁に前記係合部に係合する取付け片を設けるとともに、キーボードの他側縁をねじによって載置部に固定し、キーボードを相対する二辺でキーボード取付け面に対して固定したものが知られている（特許文献１参照。）。
【０００５】
また、コンピュータ本体の上面のキーボード取付け面に、キーボード取付け用の載置部を設けるとともにこの載置部に係合部を設け、キーボードに前記係合部に係合する係合突起を設け、別部材からなる保持部材によってキーボードの他側縁を挟持固定したものも知られている（特許文献２参照。）。
【０００６】
さらに、コンピュータ本体の上面のキーボード取付け面に、キーボード取付け用の載置部を設け、この載置部にキーボード支持部及び部品取付け部を設け、部品取付け部に機能部品を取付けるとともに、キーボードをキーボード支持部との間で挟み込むカバーを設けてキーボードを固定したものも知られている（特許文献３参照。）。
【０００７】
また、パーソナルコンピュータにおいて、メインとなる文字入力キー群とは別にテンキー群、サブキー群を分割して配置し、コンピュータ本体の上面のキーボード取付け面に文字入力キー群、テンキー群、サブキー群を取付ける取付け部を分離して設けたものが知られている（特許文献４〜６参照。）。
【特許文献１】特開２００２−２３６５２３号公報
【特許文献２】特許第３３９４８１８号公報
【特許文献３】特許第３３８２０７３号
【特許文献４】特開平８−６３２６０号公報
【特許文献５】特開２００３−１４０７７０号公報
【特許文献６】特開２００２−２６８７７４号公報
【発明の開示】
【発明が解決しようとする課題】
【０００８】
ところで、特許文献１〜３は、いずれもコンピュータ本体の上面のキーボード取付け面に、キーボード取付け用の載置部を設け、この載置部にキーボードを落とし込み、キーボードの一側縁を載置部に係合し、キーボードの他側縁をねじまたは別部材によって載置部に固定するように構成されている。
【０００９】
つまり、キーボードは、一般に横長の四辺形状をなしているが、その長辺側の両側をコンピュータ本体に対して係合手段、締付け手段等によって固定した構造であり、他の短辺側はコンピュータ本体に対しては固定されていない構造である。従って、キーボードが必要最小限の固定構造であり、組立作業性の面では優れているが、コンピュータ本体の薄型化に伴ってキーボードユニットが薄型になると、浮き上がり等の変形を招く虞がある。
【００１０】
また、特許文献４〜６は、コンピュータ本体の上面のキーボード取付け面に文字入力キー群、テンキー群、サブキー群を分離して取付ける構造である。従って、キーボード取付け面に、これらのキー群を取付ける複数の載置部を設ける必要があり、またキー群を取付け部に取付ける取付け箇所が多くなり、作業性が悪く、コストアップの原因となっている。
【００１１】
この発明は、前記事情に着目してなされたもので、その目的とするところは、入力ユニットを容易に載置部に保持できるとともに、載置部からの入力ユニットの取り外しを容易にできる情報機器を提供することにある。
【課題を解決するための手段】
【００１２】
この発明は、前記目的を達成するために、機器本体と、前記機器本体に設けられた載置部と、
少なくとも一辺部に係合部を有し、該係合部を前記載置部に係合して前記載置部に収納される入力ユニットと、前記入力ユニットの前記係合部と相対する他の辺部及び残りの少なくとも一辺部を前記載置部との間に挟む挟持部材とを具備したことを特徴とする情報機器にある。
【００１３】
また、機器本体と、前記機器本体に設けられた四辺形状の載置部と、四辺形状をなし、少なくとも一辺部に係合部を有し、該係合部を前記機器本体に係合して前記載置部に収納される第１の入力ユニットと、前記第１の入力ユニットの前記係合部と相対する他の辺部を前記載置部との間に挟む挟持部材と、前記第１の入力ユニットによって載置部との間に挟まれる第２の入力ユニットとを具備したことを特徴とする情報機器にある。
【００１４】
また、機器本体と、前記機器本体に設けられた四辺形状の載置部と、第１乃至第４の縁部を有する四辺形状をなし、前記第１の縁部を前記載置部に係合して前記載置部に収納される入力ユニットと、前記入力ユニットの前記第２の縁部を前記載置部との間に挟む第１の挟持部材と、前記入力ユニットの前記第３もしくは第４の縁部のいずれかを前記載置部との間に挟む第２の挟持部材とを具備したことを特徴とする情報機器にある。
【００１５】
また、載置部を有する本体と、一縁部を前記載置部に係合して前記載置部に収納される第１の入力ユニットと、前記載置部に着脱可能に載置される第２の入力ユニットと、前記第１の入力ユニットの前記一縁部とは異なる他縁部と前記第２の入力ユニットとを前記載置部との間に挟む挟持部材とを具備したことを特徴とする情報機器にある。
【発明の効果】
【００１６】
この発明によれば、入力ユニットを容易に載置部に保持できるとともに、載置部からの入力ユニットの取り外しを容易にできる。
【発明を実施するための最良の形態】
【００１７】
以下、この発明の各実施の形態を図面に基づいて説明する。
【００１８】
図１〜図７は第１の実施形態を示し、図１は情報機器としてのポータブルコンピュータのディスプレイハウジングを開いた状態の斜視図、図２は操作盤及びキーボードホルダを取り外した状態の斜視図である。図１及び図２に示すように、ポータブルコンピュータ１は、機器本体としてのコンピュータ本体２と、このコンピュータ本体２にヒンジ３によって回動可能に支持されたディスプレイユニット４とから構成されている。コンピュータ本体２は、扁平な箱状の筐体５を有しており、この筐体５は、上部開口の角皿状のベース６と、このベース６の上部開口を覆う平板状のカバー７とから構成されている。
【００１９】
カバー７の上面にはパームレスト８、入力ユニット取付け部としてのキーボード取付け部９が設けられ、キーボード取付け部９には入力ユニットとしてのキーボードユニット１０が設けられている。キーボード取付け部９はカバー７の上面に形成された横方向に長い四辺形状の凹陥部からなる載置部１１によって形成されている。この載置部１１は操作性を考慮して設計・製作された標準サイズのキーボードユニット１０より大きく形成されている。すなわち、本実施形態においては、載置部１１の横方向の寸法がキーボードユニット１０の長手方向の長さより大きく形成され、載置部１１にキーボードユニット１０を収納したときに、載置部１１の左右方向の一側部、本実施形態においては左側部に余剰スペース１１ａが形成されるようになっている。
【００２０】
また、図３及び図４に示すように、キーボードユニット１０は矩形状パネルからなるキーボードベース１２と、このキーボードベース１２に整列状態に配置された文字入力キー群１３とからなり、扁平状に形成されている。さらに、キーボードベース１２の外周には文字入力キー群１３より外側へ突出する周縁部１２ａが設けられている。
【００２１】
また、載置部１１の前縁部、つまりコンピュータ本体２の手前側にはカバー７の上面に対して化粧枠１４が設けられ、カバー７の内周縁と化粧枠１４の内周縁とによって段差からなる係合部１５が設けられている。そして、この係合部１５にはキーボードベース１２の前側の周縁部１２ａが係合されている。
【００２２】
係合部１５と相対する載置部１１の反対側縁部、つまりコンピュータ本体２の後部側のベース６には段差からなる取付け面１６が設けられ、この取付け面１６には載置部１１の横方向に沿って所定間隔を存して複数のねじ孔１７が設けられている。さらに、キーボードベース１２の後側の周縁部１２ａにはねじ孔１７に対応して切欠部１８が設けられている。そして、ねじ孔１７にねじ込まれる固定ねじ１９の頭部１９ａによってキーボードベース１２の後側の周縁部１２ａが取付け面１６に押え固定されている。
【００２３】
従って、キーボードベース１２の前縁部は周縁部１２ａがコンピュータ本体１２の係合部１５に係合され、キーボードベース１２の後縁部は周縁部１２ａがコンピュータ本体１２のベース６に対して複数本の固定ねじ１９によって固定されている。
【００２４】
さらに、図５に示すように、コンピュータ本体２の後部側のカバー７とキーボードベース１２の周縁部１２ａとの間の隙間２０は固定ねじ１９を含むベース６の取付け面１６を覆い隠すように第１の挟持部材としてのキーボードホルダ２１が設けられている。このキーボードホルダ２１は、合成樹脂材料からなる帯状成形品で、長手方向に沿う一側縁には係合溝２２が設けられている。さらに、キーボードホルダ２１の長手方向に沿う他側縁には押え突条２３と押え片２４が直角な面を形成するように設けられている。また、カバー７にはキーボードホルダ２１の係合溝２２と係合する係合凸部２５が設けられ、キーボードベース１２の周縁部１２ａにはキーボードホルダ２１の押え突条２３と押え片２４に当接する折曲片２６が設けられている。
【００２５】
そして、キーボードホルダ２１をコンピュータ本体２の後部側のカバー７とキーボードベース１２の周縁部１２ａとの間の隙間２０に位置決めし、キーボードホルダ２１を上方から下方へ押し込むことにより、キーボードホルダ２１の係合溝２２がカバー７の係合凸部２５に弾性係合する。また、押え突条２３がキーボードベース１２の折曲片２６の上端に当接し、押え片２４が折曲片２６の側面に弾性的に圧接する。従って、キーボードホルダ２１は、取付け部材を必要とすることなく弾性係合によって固定でき、同時に固定ねじ１９を含むベース６の取付け面１６を覆い隠しながらキーボードベース１２をコンピュータ本体２のカバー７に対して固定することができる。
【００２６】
また、コンピュータ本体２のベース６にはプリント基板、ディスクカセット、バッテリー等の機器類２７が収納されているが、これら機器類２７をキーボードホルダ２１によって覆い隠すことができ、塵埃等の侵入も防止できる。
【００２７】
また、前述したように、キーボードユニット１０を収納したときにできる載置部１１の左側部の余剰スペース１１ａには、図１及び図２に示すように、キーボードユニット１０を固定する第２の挟持部材としての操作盤３０が収納されている。この操作盤３０は、余剰スペース１１ａと略同一寸法の矩形ボックスからなる操作盤本体３１を有し、その上面には例えばショートカットキー、スイッチ等の操作部あるいは拡張機能の操作部３２が設けられている。
【００２８】
さらに、図６及び図７に示すように、操作盤本体３１は合成樹脂材料からなる成形品で、長手方向に沿う左側縁には複数の係合爪３３が設けられている。さらに、操作盤本体３１の長手方向に沿う他側縁（キーボードユニット１０側）には押え突条３４と押え片３５が直角な面を形成するように設けられている。また、コンピュータ本体２の左側縁部のカバー７の下側には操作盤本体３１の係合爪３３と係合する係合凹部３６が設けられている。さらに、キーボードベース１２の周縁部１２ａには操作盤本体３１の押え突条３４と押え片３５に当接する折曲片３７が設けられている。
【００２９】
そして、操作盤本体３１を載置部１１の余剰スペース１１ａに位置決めし、操作盤本体３１の左側縁部が下側になるように斜めにして係合爪３３を係合凹部３６に係合する。この状態で、操作盤本体３１の右側縁部をキーボードベース１２の周縁部１２ａに向かって下方へ押し込むことにより、押え突条３４がキーボードベース１２の折曲片３７の上端に当接し、押え片３５が折曲片３７の側面に弾性的に圧接する。従って、操作盤本体３１は、取付け部材を必要とすることなく弾性係合によって固定でき、同時にキーボードベース１２の折曲部３７を介してキーボードユニット１０をコンピュータ本体２の載置部１１に対して固定することができる。
【００３０】
このように、四辺形状のキーボードユニット１０の三辺部（前縁部、後縁部及び左縁部）をコンピュータ本体２の載置部１１に対して固定することができ、キーボードユニット１０を確実に固定することができる。
【００３１】
しかも、載置部１１の余剰スペース１１ａに固定される操作盤３０がキーボードユニット１０をコンピュータ本体２に対して固定する挟持部材を兼ねているため、操作盤３０の固定と同時にキーボードユニット１０を固定することができる。従って、キーボードユニット１０はコンピュータ本体２に対して確実に固定でき、パーソナルコンピュータ１の薄型化に伴ってキーボードユニット１０が薄型になっても浮き上がり等の変形を防止できる。
【００３２】
また、載置部１１にキーボードユニット１０を収納したときにできる余剰スペース１１ａに操作盤３０を収納する構造であるため、コンピュータ本体２の上面に操作盤３０を収納する載置部を別途設ける必要がなく、構成の簡素化と部品点数の低減化を図ることができる。
【００３３】
図８は第２の実施形態を示し、第１の実施形態と同一構成部分は同一番号を付して説明を省略する。本実施形態は、載置部１１にキーボードユニット１０を収納したときにできる載置部１１の左側部の余剰スペース１１ａに操作盤３０が収納されることは第１の実施形態と同一であるが、操作盤本体３１のキーボードユニット１０側の側縁には外方へ突出する複数の突出片３８が設けられている。そして、これら突出片３８は載置部１１に収納されるキーボードユニット１０のキーボードベース１２に設けられた周縁部１２ａによって載置部１１の底面に押し付け固定されるようになっている。
【００３４】
すなわち、載置部１１にキーボードユニット１０を収納する前に、操作盤本体３１を載置部１１の余剰スペース１１ａに位置決めし、操作盤本体３１の左側縁部が下側になるように斜めにして係合爪３３を係合凹部３６に係合する。この状態で、操作盤本体３１の右側縁部を余剰スペース１１ａの底面に向かって押し込むと、突出片３８が余剰スペース１１ａの底面に接合する。
【００３５】
次に、第１の実施形態と同様に、載置部１１にキーボードユニット１０を収納し、キーボードベース１２の前縁部を係合部１５に係合する。また、係合部１５と相対する取付け面１６にキーボードベース１２の後側の周縁部１２ａを接合した状態でねじ孔１７に固定ねじ１９をねじ込むと、キーボードベース１２の後側の周縁部１２ａが取付け面１６に押え固定される。
【００３６】
このように、載置部１１のキーボードユニット１０を収納して固定すると、キーボードベース１２の周縁部１２ａによってキーボードユニット１０と隣接する操作盤本体３１の突出片３８が上方から載置部１１の底面に押し付け固定される。従って、操作盤本体３１は左側部が係合爪３３と係合凹部３６とが係合し、右側部はキーボードベース１２の周縁部１２ａによって押え固定されることになる。従って、固定盤３０をコンピュータ本体２に確実に固定できる。
【００３７】
なお、前記第１及び第２の実施形態においては、コンピュータ本体２に設けた載置部１０に左側に余剰スペース１１ａを設け、この余剰スペース１１ａに操作盤３０を設けたが、載置部１０に右側に余剰スペース１１ａを設け、この余剰スペース１１ａに操作盤３０を設けてもよい。さらに、操作盤３０が横一列のテンキーを備えた横長の場合、載置部１１の前縁部あるいは後縁部に余剰スペースを設け、この余剰スペースに操作盤３０を設けてもよい。
【００３８】
また、キーボードホルダ２１及び操作盤３０をコンピュータ本体２に固定する手段として係合手段を採用したが、ねじ止め、スナップイン等の固定手段でもよく、また、操作盤３０は例えばショートカットキー、スイッチ等の操作部あるいは拡張機能の操作部３２を有するものに限定されず、余剰スペース１１ａに固定される単なる挟持部材でもよい。
【００３９】
また、前記第１及び第２の実施形態においては、コンピュータ本体とディスプレイユニットとをヒンジによって開閉可能に連結した情報機器について説明したが、キーボードユニットを備えたあらゆる情報機器にも適用できる。
【００４０】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００４１】
【図１】この発明の第１の実施形態を示し、ポータブルコンピュータのディスプレイハウジングを開いた状態の斜視図。
【図２】同実施形態の操作盤及びキーボードホルダを取り外した状態の斜視図。
【図３】同実施形態を示し、コンピュータ本体の前部側の縦断側面図。
【図４】同実施形態を示し、コンピュータ本体の後部側の縦断側面図。
【図５】同実施形態を示し、コンピュータ本体の後部側の縦断側面図。
【図６】同実施形態の操作盤の斜視図。
【図７】同実施形態の操作盤の取付け構造を示す縦断正面図。
【図８】この発明の第２の実施形態を示す操作盤の取付け構造を示す縦断正面図。
【符号の説明】
【００４２】
１…ポータブルコンピュータ、２…コンピュータ本体、１０…キーボードユニット、１１…載置部、１１ａ…余剰スペース、２１…キーボードホルダ、３０…操作盤
【図１】
2005100173.tif 000003
【図２】
2005100173.tif 000004
【図３】
2005100173.tif 000005
【図４】
2005100173.tif 000006
【図５】
2005100173.tif 000007
【図６】
2005100173.tif 000008
【図７】
2005100173.tif 000009
【図８】
2005100173.tif 000010